(57)【要約】      （修正有）【課題】作業に制約を受ける条件でも施工すること可能な支柱構造を提供する。【解決手段】間隔をおいて支柱３，３を立設した支柱構造において、支柱３は、支柱下部５とこの支柱下部５に上に連結する支柱上部６とを有し、支柱下部５の山側に盛土材１５により形成される盛土部１６と、この盛土部１６に埋設された横部材２１と、この横部材２１と支柱下部５とを連結する連結材２２とを備える。盛土部１６の土圧が横部材２１に加わり、この横部材２１に支柱下部５を連結材２２により連結することにより、山側からの荷重に対して、支柱３を自立させることができる。また、支柱下部５を複数段に分割した分割支柱下部７，７Ａ，７Ｂ，７Ｃ，７Ｄを備え、複数の分割支柱下部７，７Ａ，７Ｂ，７Ｃ，７Ｄを連結材２２により横部材２１に連結することにより、安定した支柱構造が得られる。【選択図】図１
2011032689.tif 000002
【特許請求の範囲】
【請求項１】
間隔をおいて支柱を立設した支柱構造において、前記支柱の支柱下部の山側に盛土材により形成された盛土部と、この盛土材に埋設され前記支柱下部に連結した連結部と、この連結部と連結された支柱支持部とを備えることを特徴とする支柱構造。
【請求項２】
前記支柱支持部が前記盛土部に埋設した土圧部であることを特徴とする請求項１記載の支柱構造。
【請求項３】
前記支柱支持部が山に設けたアンカーであることを特徴とする請求項１記載の支柱構造。
【請求項４】
前記支柱下部を複数段に分割した分割支柱下部を備え、複数の前記分割支柱下部を前記連結部により前記支柱支持部に連結したことを特徴とする請求項１〜３のいずれか１項に記載の支柱構造。
【請求項５】
隣合う前記支柱の前記支柱下部間に前記盛土材の前側を仕切る仕切り部を設けたことを特徴とする請求項１〜４のいずれか１項に記載の支柱構造。
【請求項６】
前記分割支柱下部に複数の前記連結部を連結し、これら連結部を上下異なる位置で前記土圧部に連結したことを特徴とする請求項１〜５のいずれか１項に記載の支柱構造。
【請求項７】
前記土圧部が横部材又は／及び縦部材を備えることを特徴とする請求項１〜６のいずれか１項に記載の支柱構造。
【請求項８】
前記支柱下部に支柱上部の下部を挿入したことを特徴とする請求項１〜７のいずれか１項に記載の支柱構造。
【請求項９】
前記盛土部を補強する盛土部補強材を備えることを特徴とする請求項１〜８のいずれか１項に記載の支柱構造。
【発明の詳細な説明】
【技術分野】
【０００１】
本発明は、支柱構造に関する。
【背景技術】
【０００２】
従来、この種の支柱構造を用いる防護体の一例として、斜面と道路との境界に設けた基礎コンクリートと、この基礎コンクリートに所定の間隔で設置した支柱と、これら支柱の間に帯状に張り巡らせた防護ネットとからなる防護柵（例えば特許文献１）が知られている。
【０００３】
また、所定の間隔で支柱を設け、各支柱の間に水平ロープ材を設け、各支柱間を水平ロープ材に掛止させたワイヤ製のネットで遮蔽した防護柵（例えば特許文献２）や、各支柱間にコンクリート製や金属製などからなる横杆を多段に設けた防護柵や、前記支柱の上部と支柱前側の斜面とを控えロープ材により連結した防護柵（例えば特許文献３）などが知られている。
【先行技術文献】
【特許文献】
【０００４】
【特許文献１】特開２００３−３４２５号公報
【特許文献２】特開平６−１７３２２１号公報
【特許文献３】特開２０００−２７３８２７号公報
【発明の概要】
【発明が解決しようとする課題】
【０００５】
上記特許文献１の防護柵では、基礎コンクリートを設けるために、大掛かりな土木作業が必要となる。
【０００６】
一方、上記特許文献２及び３において、支柱下部を地中に建て込めことにより、支柱の基礎構造を簡略化あるいは不要とすることができる。
【０００７】
しかし、支柱の下部を地中に建て込み場合もボーリング作業が必要となり、民家が近接した場所では騒音や作業スペースなどにより制約を受け、施工できない場合がある。
【０００８】
そこで、本発明は、作業に制約を受ける条件でも施工することが可能な支柱構造を提供することを目的とする。
【課題を解決するための手段】
【０００９】
本発明は、間隔をおいて支柱を立設した支柱構造において、前記支柱の支柱下部の山側に盛土材により形成された盛土部と、この盛土材に埋設され前記支柱下部に連結した連結部と、この連結部と連結された支柱支持部とを備えることを特徴とする。
【００１０】
上記構成によれば、支柱下部を連結部により支柱支持部に連結することにより、山側からの荷重に対して、支柱を自立させることができる。また、連結部が盛土部に埋設されているため、落石，土砂崩壊の衝撃や積雪荷重が連結部に直接加わらず、安定した支柱の自立構造が得られる。
【００１１】
また、本発明は、前記支柱支持部が前記盛土部に埋設した土圧部であることを特徴とする。
【００１２】
上記構成によれば、盛土部の土圧が土圧部に加わり、この土圧部に支柱下部を連結部により連結することにより、山側からの荷重に対して、支柱を自立させることができる。
【００１３】
また、盛土部に落石や土砂が堆積したり積雪荷重が加わったりすれば、それらがウエートとなって安定性が向上する。
【００１４】
また、本発明は、前記支柱支持部が山に設けたアンカーであることを特徴とする。
【００１５】
上記構成によれば、山に設けたアンカーにより安定した支柱の自立構造が得られる。
【００１６】
また、本発明は、前記支柱下部を複数段に分割した分割支柱下部を備え、複数の前記分割支柱下部を前記連結部により前記支柱支持部に連結したことを特徴とする。
【００１７】
これにより複数の分割支柱下部からなる支柱下部を、複数の連結部により土圧部に連結することにより、安定した支柱構造が得られる。
【００１８】
また、本発明は、隣合う前記支柱の前記支柱下部間に前記盛土材の前側を仕切る仕切り部を設けたことを特徴とする。
【００１９】
これにより盛土材が支柱の反山側に漏れることがなく、支柱山側の盛土部の施工が容易となる。
【００２０】
また、本発明は、前記分割支柱下部に複数の前記連結部を連結し、これら連結部を上下異なる位置で前記土圧部に連結したことを特徴とする。
【００２１】
これにより分割支柱下部が複数の連結部により土圧部に連結されるため、安定した支柱構造が得られる。
【００２２】
また、本発明は、前記土圧部が横部材又は／及び縦部材を備えることを特徴とする。
【００２３】
これにより盛土部の土圧を土圧部が受け、この土圧部に連結した支柱下部が安定する。また、横部材の場合、施工において、各段毎に横部材を配置することができる。一方、また、縦部材に複数段の分割支柱下部を連結するように構成すれば、土圧部の施工が容易となる。
【００２４】
また、本発明は、前記支柱下部に支柱上部の下部を挿入したことを特徴とする。
【００２５】
このように支柱下部に支柱上部を挿入して支柱を形成することができる。また、支柱下部の施工時に支柱上部が邪魔にならない。
分割支柱下部の各段毎に作業を行うことにより、効率よく施工を行うことができる。
【００２６】
また、本発明は、前記盛土部を補強する盛土部補強材を備えることを特徴とする。
【００２７】
盛土補強材により盛土部を補強することができる。
【発明の効果】
【００２８】
上記構成によれば、土圧部により支柱を支持し、支柱の山側での作業が主となるため、作業に制約を受ける条件でも施工することが可能な支柱構造を提供することができる。
【図面の簡単な説明】
【００２９】
【図１】本発明の実施例１を示す防護体の断面説明図である。
【図２】同上、要部の平面図である。
【図３】同上、防護体の正面図である。
【図４】同上、施工手順を説明する断面図であり、最下段の施工を示す。
【図５】同上、施工手順を説明する断面図であり、下からに２段目の施工を示す。
【図６】同上、施工手順を説明する断面図であり、支柱下部の施工が完了した状態を示す。
【図７】本発明の実施例２を示す防護体の断面説明図である。
【図８】本発明の実施例３を示す防護体の断面説明図である。
【図９】本発明の実施例４を示す防護体の断面説明図である。
【図１０】同上、要部の平面図である。
【図１１】本発明の実施例５を示す防護体の断面説明図である。
【図１２】本発明の実施例６を示す防護体の断面説明図である。
【図１３】本発明の実施例７を示す防護体の断面説明図である。
【図１４】同上、支柱支持部の断面図である。
【図１５】本発明の実施例８を示す支柱支持部の断面図である。
【図１６】本発明の実施例９を示す防護体の断面説明図である。
【図１７】本発明の実施例１０を示す防護体の断面説明図である。
【図１８】本発明の実施例１１を示す防護体の断面説明図である。
【発明を実施するための形態】
【００３０】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な支柱構造を採用することにより、従来にない支柱構造が得られ、その支柱構造と施工方法について記述する。
【実施例１】
【００３１】
以下、本発明の実施例１について、図１〜図６を参照して説明する。図１に示すように、落石，雪崩，崩壊土砂等の防護体である防護柵１は、設置場所である地面２に所定間隔を置いて複数の支柱３，３…を立設し、前記支柱３，３…の間に、可撓性を有する防護面たる網体４を設けてなる。
【００３２】
前記支柱３は、支柱３の下部である支柱下部５と、この支柱下部５の上に接続する支柱３の上部である支柱上部６とからなり、前記支柱下部５は上下複数段に分割された分割支柱下部７，７Ａ，７Ｂ，７Ｃ，７Ｄを接続してなり、前記分割支柱下部７，７Ａ，７Ｂ，７Ｃ，７Ｄの端部には、接続のためフランジ８が設けられ、フランジ８，８同士がボルトナット（図示せず）により接続されている。尚、最下段の前記分割支柱下部７の下部は、外径がフランジ８と略同形の座板９が設けられ、この座板９により下部が塞がれている。
【００３３】
また、前記支柱３には、鋼管を亜鉛メッキしたものを用いることができ、これ以外でも、支柱３は角型鋼管からなる角型のものや、Ｈ形鋼からなるＨ形のものなどを用いることができる。尚、支柱下部６は中空な断面円形又は角型のものを用い、支柱上部５を忠実なＨ形鋼にして、このＨ形鋼の支柱上部５を支柱下部６内に挿入すればよい。
【００３４】
前記地面２は、支柱３の立設位置とその山側が略平坦な平坦面１１に形成されており、その平坦面１１の山側に斜面１２が位置する。この場合、必要に応じて、前記平坦面１１と斜面１２の斜面下部１２Ａとを支柱３の施工前に成形しておくことができる。この場合、斜面下部１２Ａを削って土圧部１６を大きくすることが好ましい。
【００３５】
隣り合う前記支柱３，３の支柱下部５，５間は、仕切り部１３により仕切られ、この例では、前記仕切り部１３は、前記各段の分割支柱下部７，７Ａ，７Ｂ，７Ｃ，７Ｄに対応したパネル状部材１４，１４Ａ，１４Ｂ，１４Ｃ，１４Ｄ，１４Ｅからなる。尚、これらパネル状部材１４，１４Ａ，１４Ｂ，１４Ｃ，１４Ｄ，１４Ｅは下段側から積み上げられ、その高さ（上縁の位置）は対応する分割支柱下部７，７Ａ，７Ｂ，７Ｃ，７Ｄの略中央位置となる。また、最上段のパネル状部材１４Ｅの高さは支柱下部５の上端と略同一である。前記パネル状部材１４，１４Ａ，１４Ｂ，１４Ｃ，１４Ｄ，１４Ｅは、コンクリート板，鉄板やエキスパンドメタルなどが用いられ、エキスパンドメタルを用いる場合は、山側に植生用シートなどの吸出し防止部材を重ねて配置すればよい。
【００３６】
また、前記支柱３，３…の山側には、盛土材たる土砂１５により盛土部１６が形成され、この盛土部１６の上面は、前記支柱下部５の上端と略同一高さに仕上げられる。
【００３７】
前記盛土部１６内には、この例では、各段の前記各段の分割支柱下部７，７Ａ，７Ｂ，７Ｃ，７Ｄに対応して土圧部たる横部材２１が複数段に埋設され、この横部材２１と対応する分割支柱下部７，７Ａ，７Ｂ，７Ｃ，７Ｄが連結部たる連結材２２，２２により連結され、この連結材２２は略水平方向に配置されている。前記横部材２１はＨ形鋼などからなり、前記斜面下部１２Ａの近傍に配置されている。また、上段の横部材２１は、下段の横部材２１より断面が大きなものが用いられ、図１では、下から１，２，３段の横部材２１より、下から４，５段の横部材２１の断面が大きい。また、前記横部材２１は、支柱下部５毎に設けられ、隣合う支柱下部５，５の横部材２１，２１は、別体のものが用いられている。
【００３８】
また、前記連結材２２には鋼棒などが用いられ、１個の分割支柱下部７，７Ａ，７Ｂ，７Ｃ，７Ｄに対して、少なくとも１個ずつ横部材２１が設けられている。尚、この例では、図２に示すように、１つの分割支柱下部７，７Ａ，７Ｂ，７Ｃ，７Ｄには複数（２本）の連結材２２，２２が連結され、これら複数の連結材２２，２２が横部材２１にそれぞれ連結されている。また、前記横部材２１は前記支柱３の直径より長い。さらに、横部材２１は両側のフランジ部を縦方向に配置している。
【００３９】
次に、前記防護柵１の施工方法につき、支柱３を中心にして説明する。
【００４０】
必要に応じて、地面２と斜面下部１２Ａとを成形し、分割支柱下部の設置作業として、平坦面１１上に最下段の分割支柱下部７を立て、仕切り部１３の設置作業として、隣合う分割支柱下部７，７…間に、対応するパネル状部材１４を配置する。このパネル状部材１４の高さは分割支柱下部７の高さの略１／２であり、盛土作業として、その高さまで分割支柱下部７の山側を盛土材１５により盛土し、その盛土材１５の上面１７の略全面に、盛土補強材たるジオグリッド２３を敷設し、転圧作業として、その上面１７を転圧する。また、連結作業として、盛土材１５の上面１７に横部材２１を配置し、この横部材２１と分割支柱下部７とを連結材２２により連結する。尚、横部材２１と連結材２２との作業が終了した後に、転圧を行うようにしてもよい。このようにして最下段の分割支柱下部７の設置作業と、横部材２１と連結材２２との連結作業と、盛土材１５による盛土作業と、盛土材１５の上面１７の転圧作業が終了したら、上の段の作業を同様に行う。下から２段目では、分割支柱下部の設置作業として、仕切り部の設置作業として、分割支柱下部７に上の段の分割支柱下部７Ａを連結し、隣合う分割支柱下部７Ａ，７Ａ間に対応するパネル状部材１４Ａにより間を塞ぎ、盛土作業として、そのパネル状部材１４Ａの上縁位置まで盛土材１５を盛土し、この盛土材１５の上面１７Ａへのジオグリッド２３の敷設、転圧作業として、盛土した盛土材１５の転圧、連結作業として、横部材２１の配置、横部材２１とこれに対応する分割支柱下部７Ａとの連結材２２の連結が完了したら、同様にして上の段の分割支柱下部７Ｂの連結、隣合う分割支柱下部７Ｂ，７Ｂ間のパネル状部材１４Ｂの配置、このパネル状部材１４Ｂの山側への盛土、上面１７Ｂの転圧、横部材２１の配置、横部材２１とこれに対応する分割支柱下部７Ｂとの連結材２２の連結を行い、同様に上の段の分割支柱下部７Ｃの施工を行い、上の段の分割支柱下部７Ｃの連結、隣合う分割支柱下部７Ｃ，７Ｃ間のパネル状部材１４Ｃの配置、このパネル状部材１４Ｃの山側への盛土、上面１７Ｃの転圧、横部材２１の配置、横部材２１とこれに対応する分割支柱下部７Ｃとの連結材２２の連結を行い、同様に最上段の分割支柱下部７Ｄの施工を行い、最上段では、横部材２１と連結材２２とジオグリッド２３とパネル状部材１４Ｅの施工が完了した後、その上に盛土材１５を支柱下部５の上端位置まで盛土し、盛土部１６の上面１７Ｅにジオグリッド２３を配置すると共に、盛土部１６の上面１７Ｅを転圧して盛土部１６を完成させる。
【００４１】
尚、盛土補強材には、ジオグリッド２３以外でも、金網などの網体や繊維シートなど各種のものを用いることができ、特に、シート状のもの（網体を含む）が好ましい。また、図２に示したように、連結材２２も盛土を押さえる盛土補強材として作用する。
【００４２】
このようにして支柱３，３…を立設した後、支柱上部６，６…間に前記網体４を設けて防護柵１を構築する。
【００４３】
上記防護柵１においては、盛土部１６に埋設した横部材２１により、支柱３を支持するから、コンクリート基礎の施工やボーリングなどが不要となり、民家などが近接する現場での施工が可能となる。
【００４４】
また、防護柵１が落石，土砂や雪崩を受けた場合も、これら落石，土砂や雪崩が盛土部１６の上に溜まることによりウエートとなるため、支柱３の安定性が向上する。
【００４５】
以上のように本実施例では、間隔をおいて支柱３，３を立設した支柱構造において、支柱３は、支柱下部５と支柱上部６とを有し、支柱３の支柱下部５の山側に盛土材１５により形成される盛土部１６と、この盛土部１６に埋設された前記支柱下部５に連結した連結部たる連結材２２と、この連結材と連結された支柱支持部たる横部材２１とを備えるから、支柱下部５を連結材２２により横部材２１に連結することにより、山側からの荷重に対して、支柱３を自立させることができる。また、連結材２２が盛土部１６に埋設されているため、落石，土砂崩壊の衝撃や積雪荷重が連結材２２に直接加わらず、安定した支柱２の自立構造を得ることができる。
【００４６】
また、このように本実施例では、間隔をおいて支柱３，３を立設した支柱構造において、支柱３は、支柱下部５とこの支柱下部５に上に連結する支柱上部６とを有し、支柱下部５の山側に盛土材１５により形成される盛土部１６と、この盛土部１６に埋設された土圧部たる横部材２１と、この横部材２１と支柱下部５とを連結する連結部たる連結材２２とを備えるから、盛土部１６の土圧が横部材２１に加わり、この横部材２１に支柱下部５を連結材２２により連結することにより、山側からの荷重に対して、支柱３を自立させることができる。従って、大口径ボーリングマシンの騒音により施工に制限がある場合や、機材の搬入が困難な場でも施工が可能となる。
【００４７】
また、盛土部１６に落石や土砂が堆積したり積雪荷重が加わったりすれば、それらがウエートとなって安定性が向上する。
【００４８】
また、このように本実施例では、支柱下部５を複数段に分割した分割支柱下部７，７Ａ，７Ｂ，７Ｃ，７Ｄを備え、複数の分割支柱下部７，７Ａ，７Ｂ，７Ｃ，７Ｄを連結部たる連結材２２により土圧たる横部材２１に連結したから、安定した支柱構造が得られる。
【００４９】
また、このように本実施例では、隣合う支柱３，３の支柱下部５，５間に盛土材１５の前側を仕切る仕切り部１３を設けたから、盛土材１５が支柱３の反山側に漏れることがなく、支柱山側の盛土部１６の施工が容易となる。
【００５０】
また、このように本実施例では、土圧部が横部材又は／及び縦部材を備え、この例では土圧部が横部材２２を備えるから、盛土部１６の土圧を横部材２１が受け、この横部材２１に連結した支柱下部５が安定する。また、施工において、各段毎に横部材２１を配置することができる。
【００５１】
また、このように本実施例では、盛土部１６を補強する盛土部補強材たるジオグリッド２３を備えるから、盛土部１６を効果的に補強することができる。
【００５２】
また、実施例上の効果として、上記支柱構造の施工方法において、分割支柱下部７，７Ａ，７Ｂ，７Ｃ，７Ｄの各段毎に、分割支柱下部７，７Ａ，７Ｂ，７Ｃ，７Ｄの設置作業と、連結部たる連結材２２による分割支柱下部７，７Ａ，７Ｂ，７Ｃ，７Ｄと土圧部たる横部材２１との連結作業と、盛土材１５による盛土作業とを行い、このように分割支柱下部７，７Ａ，７Ｂ，７Ｃ，７Ｄの各段毎に作業を行うことにより、効率よく施工を行うことができる。
【００５３】
また、実施例上の効果として、分割支柱下部７，７Ａ，７Ｂ，７Ｃ，７Ｄの各段毎に、隣合う分割支柱下部７，７Ａ，７Ｂ，７Ｃ，７Ｄ間に盛土材１５の前側を仕切る仕切り部１３を設ける仕切り作業と、盛土した盛土材１５の転圧作業とを行い、このように各段毎に仕切り部１３を設けることにより、仕切り部１３が転圧の邪魔にならず、転圧作業を確実且つ容易に行うことができる。
【００５４】
また、実施例上の効果として、各段毎にジオグリッド２３を敷設することにより、盛土部１６の強度を向上することができる。さらに、土圧部たる横部材２１は、下段から上段に行くに従って支柱下部５から離れるから、土圧が低くなる上段側でも所定の支持力を得ることができる。また、上段側の横部材２１を下段川の横部材２１より大きくしたから、土圧が低くなる上段側でも所定の支持力を得ることができ、全体として盛土部１６の土圧を効果的に支柱３の支持に用いることができる。
【実施例２】
【００５５】
図７は本発明の実施例２を示し、上記実施例１と同一部分に同一符号を付し、その詳細な説明を省略して詳述すると、この例では、中段の分割支柱下部７Ａ，７Ｂ，７Ｃとその下段の横部材２１とを、山側が低くなる斜めの連結材２２Ａにより連結しており、中段の分割支柱下部７Ａ，７Ｂ，７Ｃが上下２つの横部材２１，２１に連結されている。
【００５６】
この場合、下段の転圧作業を行った後、上段の分割支柱下部７Ａ，７Ｂ，７Ｃと下段の横部材２１とを前記連結材２２Ａにより連結する。
【００５７】
また、このように本実施例では、分割支柱下部７Ａ，７Ｂ，７Ｃに複数の連結部たる連結材２２，２２Ａを連結し、これら連結材２２，２２Ａを上下異なる位置で土圧部たる横部材２１，２１に連結したから、分割支柱下部７Ａ，７Ｂ，７Ｃが複数の連結材２２，２２Ａにより横部材２１，２１に連結されるため、安定した支柱構造が得られる。
【実施例３】
【００５８】
図８は本発明の実施例３を示し、上記各実施例と同一部分に同一符号を付し、その詳細な説明を省略して詳述すると、この例では、土圧部として縦部材３１を用いており、１個の縦部材３１に、１個の支柱下部５の全ての分割支柱下部７，７Ａ，７Ｂ，７Ｃ，７Ｄが連結されている。
【００５９】
前記縦部材３１は、斜面下部１２Ａに沿って斜めに設けられており、この設置状態で、支柱下部５に略対応する高さを有するから、盛土部１６の施工前に斜面下部１２Ａに配置すれば、設置が完了する。
【００６０】
このように本実施例では、連結部が縦部材３１を備えるから、盛土部１６の土圧を縦部材３１が受けることにより、この縦部材３１に連結した分割支柱下部７，７Ａ，７Ｂ，７Ｃ，７Ｄが安定する。また、縦部材３１に複数段の分割支柱下部７，７Ａ，７Ｂ，７Ｃ，７Ｄを連結するようにしたから、土圧部たる縦部材３１の施工が容易となる。
【実施例４】
【００６１】
図９〜図１０は本発明の実施例４を示し、上記各実施例と同一部分に同一符号を付し、その詳細な説明を省略して詳述すると、この例では、土圧部として格子状部材３２を用いており、この格子状部材３２は、複数の前記横部材２１と複数の前記縦部材３１とを格子状に配置して一体化したものであり、その縦部材２２に連結材２２により各段の分割支柱下部７，７Ａ，７Ｂ，７Ｃ，７Ｄを連結している。
【００６２】
このように本実施例では、連結部が横部材２２と縦部材３１を備えるから、盛土部１６の土圧を横部材２１と縦部材３１とを備える格子状部材３２が受けることにより、この格子状部材３２に連結した分割支柱下部７，７Ａ，７Ｂ，７Ｃ，７Ｄが安定する。
【実施例５】
【００６３】
図１１は本発明の実施例５を示し、上記各実施例と同一部分に同一符号を付し、その詳細な説明を省略して詳述すると、この例では、各段の横部材２１に対応して、斜面たる斜面下部１２Ａにアンカー３３を固設しており、このアンカー３３の先端を前記横部材２１に連結している。
【００６４】
このように本実施例では、アンカー３３を用いることにより斜面１２の地山からも支持力が得られるため、支柱上部５の山側から加わる力に対して、支柱３の強度を向上することができる。
【実施例６】
【００６５】
図１２は本発明の実施例６を示し、上記各実施例と同一部分に同一符号を付し、その詳細な説明を省略して詳述すると、この例では、上記実施例５において、土圧部たる横部材２１を用いることなく、アンカー３３に連結材２２を直接連結するように構成している。
【００６６】
このように本実施例では、支柱支持部が山の斜面１２に設けたアンカー３３であり、アンカー３３を用いることにより斜面１２の地山からも支持力が得られるため、支柱上部５の山側から加わる力に対して、支柱３の強度を向上することができる。
【実施例７】
【００６７】
図１３及び図１４は本発明の実施例７を示し、上記各実施例と同一部分に同一符号を付し、その詳細な説明を省略して詳述すると、この例では、支柱下部５内に支柱上部６の下部を挿入して連結している。
【００６８】
前記支柱下部５の内径は、前記支柱上部６の外径より大きく、その支柱下部５内には、前記支柱上部６の下端が当接するストッパ３４が設けられ、このストッパ３４により支柱上部６の挿入量を調節している。また、前記支柱下部５内には充填材３５が充填され、この充填材３５により支柱上部６が支柱上部５に固定され、前記充填材３５としては、グラウト，コンクリートやモルタルなどが例示される。この場合、支柱上部６に加わる設計荷重に対して必要な長さだけ支柱上部６の下部を支柱下部５に挿入するようにすればよい。
【００６９】
また、この例の土圧部は横部材２１Ａであり、この横部材２１Ａは、横方向の横辺部３６と、この横辺部３６の端部の上に設けられた縦方向の縦辺部３７とを備える断面略Ｌ字型をなしている。
【００７０】
したがって、転圧後の上面１７，１７Ａ，１７Ｂ，１７Ｃ，１７Ｄに、略平坦な横辺３６の下面を載置するようにして横部材２１Ａを配置できるため、横部材２１Ａの設置作業が容易となり、また、埋設後は、縦方向の縦辺部３７により土圧を受け、支柱支持力を得ることができる。
【００７１】
このように本実施例では、支柱下部５に支柱上部６の下部を挿入したから、支柱下部５に支柱上部６を挿入して支柱３を形成することができる。また、支柱下部５の施工時に支柱上部６が邪魔にならない。
【実施例８】
【００７２】
図１５は本発明の実施例８を示し、上記各実施例と同一部分に同一符号を付し、その詳細な説明を省略して詳述すると、この例の横部材２１Ａは、横方向の横辺部３６の中央から縦方向の縦辺部３７を突設した断面略逆Ｔ字型をなし、上記実施例７と同様な作用・効果を奏する。
【実施例９】
【００７３】
図１６は本発明の実施例９を示し、上記各実施例と同一部分に同一符号を付し、その詳細な説明を省略して詳述すると、この例では、転圧後の上面１７，１７Ａ，１７Ｂ，１７Ｃ，１７Ｄ間の略中央においても転圧を行い、この転圧した面に、盛土補強材であるジオグリッド２３を設けるようにしており、ジオグリッド２３，２３間の盛土材１の厚さが薄くなるから、盛土部１６の強度を向上することができる。
【実施例１０】
【００７４】
図１７は本発明の実施例１０を示し、上記各実施例と同一部分に同一符号を付し、その詳細な説明を省略して詳述すると、この例では、支柱下部５内に支柱上部６の下部を挿入して連結し、支柱上部６は支柱３の高さと略等しく、その支柱下部６の下端が座板９に載置される。したがって、座板９の上面を水平に配置すれば、支柱上部６を垂直に配置することができる。尚、実施例７及び実施例１０においては、支柱上部６の下端を塞いでおけば、充填材３５が侵入しない。
【実施例１１】
【００７５】
図１８は本発明の実施例１１を示し、上記各実施例と同一部分に同一符号を付し、その詳細な説明を省略して詳述すると、この例では、支柱下部５と支柱上部６とが一体ものの支柱３を用い、１箇所に１本の支柱３を立設しており、間隔をおいて支柱３，３を立設した支柱構造において、支柱３の支柱下部５の山側に盛土材１５により形成される盛土部１６と、この盛土部１６に埋設された支柱下部５に連結した連結部たる連結材２２と、この連結材と連結された支柱支持部たる横部材２１とを備えるから、支柱下部５を連結材２２により横部材２１に連結することにより、山側からの荷重に対して、支柱３を自立させることができる。
【００７６】
尚、本発明は、前記実施例に限定されるものではなく、種々の変形実施が可能である。例えば、土圧部は各種の形状のものを用いることができる。また、連結材は引張力に対抗するものであれば、ワイヤーロープなど各種のものを用いることができる。さらに、実施例では、支柱下部と支柱上部とをフランジにより連結したが、ソケット式など各種の連結方式を用いることができ、或いは現場での溶接もよい。また、実施例では、支柱下部を複数の分割したが、一体物の支柱下部を用いてもよい。
【符号の説明】
【００７７】
１  防護柵（防護体）
２  地面（設置場所）
３  支柱
４  網体（防護面）
５  支柱下部
６  支柱上部
７，７Ａ，７Ｂ，７Ｃ，７Ｄ  分割支柱下部
８  フランジ（接続手段）
１１  平坦面
１２  斜面
１２Ａ  斜面下部
１３  仕切り部
１４〜１４Ｅ  パネル状部材
１５  盛土材（土砂）
１６  盛土部
２１  横部材（支柱支持部、土圧部）
２２  連結材（連結部）
２２Ａ  斜めの連結材（連結部）
２３  ジオグリッド（盛土補強材）
３１  縦部材（支柱支持部、土圧部）
３２  格子状部材（支柱支持部、土圧部）
３３  アンカー（支柱支持部）
【図１】
2011032689.tif 000003
【図２】
2011032689.tif 000004
【図３】
2011032689.tif 000005
【図４】
2011032689.tif 000006
【図５】
2011032689.tif 000007
【図６】
2011032689.tif 000008
【図７】
2011032689.tif 000009
【図８】
2011032689.tif 000010
【図９】
2011032689.tif 000011
【図１０】
2011032689.tif 000012
【図１１】
2011032689.tif 000013
【図１２】
2011032689.tif 000014
【図１３】
2011032689.tif 000015
【図１４】
2011032689.tif 000016
【図１５】
2011032689.tif 000017
【図１６】
2011032689.tif 000018
【図１７】
2011032689.tif 000019
【図１８】
2011032689.tif 000020
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
間隔をおいて支柱を立設した防護体の支柱構造において、前記支柱は、支柱下部と、この支柱下部の上に連結する支柱上部とからなり、前記支柱下部の山側に盛土材により形成された盛土部と、この盛土部に埋設され前記支柱下部に連結した連結部と、この連結部と連結された支柱支持部とを備え、前記支柱支持部が前記盛土部に埋設した土圧部であり、前記支柱下部を複数段に分割した分割支柱下部を備え、複数の前記分割支柱下部を前記連結部により前記土圧部に連結したことを特徴とする防護体の支柱構造。
【請求項２】
隣合う前記支柱の前記支柱下部間に前記盛土材の前側を仕切る仕切り部を設けたことを特徴とする請求項１記載の防護体の支柱構造。
【請求項３】
前記分割支柱下部に複数の前記連結部を連結し、これら連結部を上下異なる位置で前記土圧部に連結したことを特徴とする請求項１又は２記載の防護体の支柱構造。
【請求項４】
前記土圧部が横部材又は／及び縦部材を備えることを特徴とする請求項１〜３のいずれか１項に記載の防護体の支柱構造。
【請求項５】
前記支柱下部に前記支柱上部の下部を挿入したことを特徴とする請求項１〜４のいずれか１項に記載の防護体の支柱構造。
【請求項６】
前記盛土部を補強する盛土部補強材を備えることを特徴とする請求項１〜５のいずれか１項に記載の防護体の支柱構造。
【手続補正２】
【補正対象書類名】明細書
【補正対象項目名】全文
【補正方法】変更
【補正の内容】
【発明の詳細な説明】
【技術分野】
【０００１】
本発明は、防護体の支柱構造に関する。
【背景技術】
【０００２】
従来、この種の支柱構造を用いる防護体の一例として、斜面と道路との境界に設けた基礎コンクリートと、この基礎コンクリートに所定の間隔で設置した支柱と、これら支柱の間に帯状に張り巡らせた防護ネットとからなる防護柵（例えば特許文献１）が知られている。
【０００３】
また、所定の間隔で支柱を設け、各支柱の間に水平ロープ材を設け、各支柱間を水平ロープ材に掛止させたワイヤ製のネットで遮蔽した防護柵（例えば特許文献２）や、各支柱間にコンクリート製や金属製などからなる横杆を多段に設けた防護柵や、前記支柱の上部と支柱前側の斜面とを控えロープ材により連結した防護柵（例えば特許文献３）などが知られている。
【先行技術文献】
【特許文献】
【０００４】
【特許文献１】特開２００３−３４２５号公報
【特許文献２】特開平６−１７３２２１号公報
【特許文献３】特開２０００−２７３８２７号公報
【発明の概要】
【発明が解決しようとする課題】
【０００５】
上記特許文献１の防護柵では、基礎コンクリートを設けるために、大掛かりな土木作業が必要となる。
【０００６】
一方、上記特許文献２及び３において、支柱下部を地中に建て込めことにより、支柱の基礎構造を簡略化あるいは不要とすることができる。
【０００７】
しかし、支柱の下部を地中に建て込み場合もボーリング作業が必要となり、民家が近接した場所では騒音や作業スペースなどにより制約を受け、施工できない場合がある。
【０００８】
そこで、本発明は、作業に制約を受ける条件でも施工することが可能な支柱構造とその施工方法を提供することを目的とする。
【課題を解決するための手段】
【０００９】
本発明は、間隔をおいて支柱を立設した防護体の支柱構造において、前記支柱は、支柱下部と、この支柱下部の上に連結する支柱上部とからなり、前記支柱下部の山側に盛土材により形成された盛土部と、この盛土部に埋設され前記支柱下部に連結した連結部と、この連結部と連結された支柱支持部とを備え、前記支柱支持部が前記盛土部に埋設した土圧部であり、前記支柱下部を複数段に分割した分割支柱下部を備え、複数の前記分割支柱下部を前記連結部により前記土圧部に連結したことを特徴とする。
【００１０】
上記構成によれば、支柱下部を連結部により支柱支持部に連結することにより、山側からの荷重に対して、支柱を自立させることができる。また、連結部が盛土部に埋設されているため、落石，土砂崩壊の衝撃や積雪荷重が連結部に直接加わらず、安定した支柱の自立構造が得られる。
【００１１】
上記構成によれば、盛土部の土圧が土圧部に加わり、この土圧部に支柱下部を連結部により連結することにより、山側からの荷重に対して、支柱を自立させることができる。
【００１２】
また、盛土部に落石や土砂が堆積したり積雪荷重が加わったりすれば、それらがウエートとなって安定性が向上する。
【００１３】
また、複数の分割支柱下部からなる支柱下部を、複数の連結部により土圧部に連結することにより、安定した支柱構造が得られる。
【００１４】
また、本発明は、隣合う前記支柱の前記支柱下部間に前記盛土材の前側を仕切る仕切り部を設けたことを特徴とする。
【００１５】
これにより盛土材が支柱の反山側に漏れることがなく、支柱山側の盛土部の施工が容易となる。
【００１６】
また、本発明は、前記分割支柱下部に複数の前記連結部を連結し、これら連結部を上下異なる位置で前記土圧部に連結したことを特徴とする。
【００１７】
これにより分割支柱下部が複数の連結部により土圧部に連結されるため、安定した支柱構造が得られる。
【００１８】
また、本発明は、前記土圧部が横部材又は／及び縦部材を備えることを特徴とする。
【００１９】
これにより盛土部の土圧を土圧部が受け、この土圧部に連結した支柱下部が安定する。また、横部材の場合、施工において、各段毎に横部材を配置することができる。一方、また、縦部材に複数段の分割支柱下部を連結するように構成すれば、土圧部の施工が容易となる。
【００２０】
また、本発明は、前記支柱下部に支柱上部の下部を挿入したことを特徴とする。
【００２１】
このように支柱下部に支柱上部を挿入して支柱を形成することができる。また、支柱下部の施工時に支柱上部が邪魔にならない。
分割支柱下部の各段毎に作業を行うことにより、効率よく施工を行うことができる。
【００２２】
また、本発明は、前記盛土部を補強する盛土部補強材を備えることを特徴とする。
【００２３】
盛土補強材により盛土部を補強することができる。
【発明の効果】
【００２４】
上記構成によれば、土圧部により支柱を支持し、支柱の山側での作業が主となるため、作業に制約を受ける条件でも施工することが可能な防護体の支柱構造を提供することができる。
【図面の簡単な説明】
【００２５】
【図１】本発明の実施例１を示す防護体の断面説明図である。
【図２】同上、要部の平面図である。
【図３】同上、防護体の正面図である。
【図４】同上、施工手順を説明する断面図であり、最下段の施工を示す。
【図５】同上、施工手順を説明する断面図であり、下からに２段目の施工を示す。
【図６】同上、施工手順を説明する断面図であり、支柱下部の施工が完了した状態を示す。
【図７】本発明の実施例２を示す防護体の断面説明図である。
【図８】本発明の実施例３を示す防護体の断面説明図である。
【図９】本発明の実施例４を示す防護体の断面説明図である。
【図１０】同上、要部の平面図である。
【図１１】本発明の実施例５を示す防護体の断面説明図である。
【図１２】本発明の実施例６を示す防護体の断面説明図である。
【図１３】本発明の実施例７を示す防護体の断面説明図である。
【図１４】同上、支柱支持部の断面図である。
【図１５】本発明の実施例８を示す支柱支持部の断面図である。
【図１６】本発明の実施例９を示す防護体の断面説明図である。
【図１７】本発明の実施例１０を示す防護体の断面説明図である。
【図１８】本発明の実施例１１を示す防護体の断面説明図である。
【発明を実施するための形態】
【００２６】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規な防護体の支柱構造を採用することにより、従来にない防護体の支柱構造が得られ、その防護体の支柱構造について記述する。
【実施例１】
【００２７】
以下、本発明の実施例１について、図１〜図６を参照して説明する。図１に示すように、落石，雪崩，崩壊土砂等の防護体である防護柵１は、設置場所である地面２に所定間隔を置いて複数の支柱３，３…を立設し、前記支柱３，３…の間に、可撓性を有する防護面たる網体４を設けてなる。
【００２８】
前記支柱３は、支柱３の下部である支柱下部５と、この支柱下部５の上に接続する支柱３の上部である支柱上部６とからなり、前記支柱下部５は上下複数段に分割された分割支柱下部７，７Ａ，７Ｂ，７Ｃ，７Ｄを接続してなり、前記分割支柱下部７，７Ａ，７Ｂ，７Ｃ，７Ｄの端部には、接続のためフランジ８が設けられ、フランジ８，８同士がボルトナット（図示せず）により接続されている。尚、最下段の前記分割支柱下部７の下部は、外径がフランジ８と略同形の座板９が設けられ、この座板９により下部が塞がれている。
【００２９】
また、前記支柱３には、鋼管を亜鉛メッキしたものを用いることができ、これ以外でも、支柱３は角型鋼管からなる角型のものや、Ｈ形鋼からなるＨ形のものなどを用いることができる。尚、支柱下部６は中空な断面円形又は角型のものを用い、支柱上部５を忠実なＨ形鋼にして、このＨ形鋼の支柱上部５を支柱下部６内に挿入すればよい。
【００３０】
前記地面２は、支柱３の立設位置とその山側が略平坦な平坦面１１に形成されており、その平坦面１１の山側に斜面１２が位置する。この場合、必要に応じて、前記平坦面１１と斜面１２の斜面下部１２Ａとを支柱３の施工前に成形しておくことができる。この場合、斜面下部１２Ａを削って土圧部１６を大きくすることが好ましい。
【００３１】
隣り合う前記支柱３，３の支柱下部５，５間は、仕切り部１３により仕切られ、この例では、前記仕切り部１３は、前記各段の分割支柱下部７，７Ａ，７Ｂ，７Ｃ，７Ｄに対応したパネル状部材１４，１４Ａ，１４Ｂ，１４Ｃ，１４Ｄ，１４Ｅからなる。尚、これらパネル状部材１４，１４Ａ，１４Ｂ，１４Ｃ，１４Ｄ，１４Ｅは下段側から積み上げられ、その高さ（上縁の位置）は対応する分割支柱下部７，７Ａ，７Ｂ，７Ｃ，７Ｄの略中央位置となる。また、最上段のパネル状部材１４Ｅの高さは支柱下部５の上端と略同一である。前記パネル状部材１４，１４Ａ，１４Ｂ，１４Ｃ，１４Ｄ，１４Ｅは、コンクリート板，鉄板やエキスパンドメタルなどが用いられ、エキスパンドメタルを用いる場合は、山側に植生用シートなどの吸出し防止部材を重ねて配置すればよい。
【００３２】
また、前記支柱３，３…の山側には、盛土材たる土砂１５により盛土部１６が形成され、この盛土部１６の上面は、前記支柱下部５の上端と略同一高さに仕上げられる。
【００３３】
前記盛土部１６内には、この例では、各段の前記各段の分割支柱下部７，７Ａ，７Ｂ，７Ｃ，７Ｄに対応して土圧部たる横部材２１が複数段に埋設され、この横部材２１と対応する分割支柱下部７，７Ａ，７Ｂ，７Ｃ，７Ｄが連結部たる連結材２２，２２により連結され、この連結材２２は略水平方向に配置されている。前記横部材２１はＨ形鋼などからなり、前記斜面下部１２Ａの近傍に配置されている。また、上段の横部材２１は、下段の横部材２１より断面が大きなものが用いられ、図１では、下から１，２，３段の横部材２１より、下から４，５段の横部材２１の断面が大きい。また、前記横部材２１は、支柱下部５毎に設けられ、隣合う支柱下部５，５の横部材２１，２１は、別体のものが用いられている。
【００３４】
また、前記連結材２２には鋼棒などが用いられ、１個の分割支柱下部７，７Ａ，７Ｂ，７Ｃ，７Ｄに対して、少なくとも１個ずつ横部材２１が設けられている。尚、この例では、図２に示すように、１つの分割支柱下部７，７Ａ，７Ｂ，７Ｃ，７Ｄには複数（２本）の連結材２２，２２が連結され、これら複数の連結材２２，２２が横部材２１にそれぞれ連結されている。また、前記横部材２１は前記支柱３の直径より長い。さらに、横部材２１は両側のフランジ部を縦方向に配置している。
【００３５】
次に、前記防護柵１の施工方法につき、支柱３を中心にして説明する。
【００３６】
必要に応じて、地面２と斜面下部１２Ａとを成形し、分割支柱下部の設置作業として、平坦面１１上に最下段の分割支柱下部７を立て、仕切り部１３の設置作業として、隣合う分割支柱下部７，７…間に、対応するパネル状部材１４を配置する。このパネル状部材１４の高さは分割支柱下部７の高さの略１／２であり、盛土作業として、その高さまで分割支柱下部７の山側を盛土材１５により盛土し、その盛土材１５の上面１７の略全面に、盛土補強材たるジオグリッド２３を敷設し、転圧作業として、その上面１７を転圧する。また、連結作業として、盛土材１５の上面１７に横部材２１を配置し、この横部材２１と分割支柱下部７とを連結材２２により連結する。尚、横部材２１と連結材２２との作業が終了した後に、転圧を行うようにしてもよい。このようにして最下段の分割支柱下部７の設置作業と、横部材２１と連結材２２との連結作業と、盛土材１５による盛土作業と、盛土材１５の上面１７の転圧作業が終了したら、上の段の作業を同様に行う。下から２段目では、分割支柱下部の設置作業として、仕切り部の設置作業として、分割支柱下部７に上の段の分割支柱下部７Ａを連結し、隣合う分割支柱下部７Ａ，７Ａ間に対応するパネル状部材１４Ａにより間を塞ぎ、盛土作業として、そのパネル状部材１４Ａの上縁位置まで盛土材１５を盛土し、この盛土材１５の上面１７Ａへのジオグリッド２３の敷設、転圧作業として、盛土した盛土材１５の転圧、連結作業として、横部材２１の配置、横部材２１とこれに対応する分割支柱下部７Ａとの連結材２２の連結が完了したら、同様にして上の段の分割支柱下部７Ｂの連結、隣合う分割支柱下部７Ｂ，７Ｂ間のパネル状部材１４Ｂの配置、このパネル状部材１４Ｂの山側への盛土、上面１７Ｂの転圧、横部材２１の配置、横部材２１とこれに対応する分割支柱下部７Ｂとの連結材２２の連結を行い、同様に上の段の分割支柱下部７Ｃの施工を行い、上の段の分割支柱下部７Ｃの連結、隣合う分割支柱下部７Ｃ，７Ｃ間のパネル状部材１４Ｃの配置、このパネル状部材１４Ｃの山側への盛土、上面１７Ｃの転圧、横部材２１の配置、横部材２１とこれに対応する分割支柱下部７Ｃとの連結材２２の連結を行い、同様に最上段の分割支柱下部７Ｄの施工を行い、最上段では、横部材２１と連結材２２とジオグリッド２３とパネル状部材１４Ｅの施工が完了した後、その上に盛土材１５を支柱下部５の上端位置まで盛土し、盛土部１６の上面１７Ｅにジオグリッド２３を配置すると共に、盛土部１６の上面１７Ｅを転圧して盛土部１６を完成させる。
【００３７】
尚、盛土補強材には、ジオグリッド２３以外でも、金網などの網体や繊維シートなど各種のものを用いることができ、特に、シート状のもの（網体を含む）が好ましい。また、図２に示したように、連結材２２も盛土を押さえる盛土補強材として作用する。
【００３８】
このようにして支柱３，３…を立設した後、支柱上部６，６…間に前記網体４を設けて防護柵１を構築する。
【００３９】
上記防護柵１においては、盛土部１６に埋設した横部材２１により、支柱３を支持するから、コンクリート基礎の施工やボーリングなどが不要となり、民家などが近接する現場での施工が可能となる。
【００４０】
また、防護柵１が落石，土砂や雪崩を受けた場合も、これら落石，土砂や雪崩が盛土部１６の上に溜まることによりウエートとなるため、支柱３の安定性が向上する。
【００４１】
以上のように本実施例では、間隔をおいて支柱３，３を立設した支柱構造において、支柱３は、支柱下部５と支柱上部６とを有し、支柱３の支柱下部５の山側に盛土材１５により形成される盛土部１６と、この盛土部１６に埋設された前記支柱下部５に連結した連結部たる連結材２２と、この連結材と連結された支柱支持部たる横部材２１とを備えるから、支柱下部５を連結材２２により横部材２１に連結することにより、山側からの荷重に対して、支柱３を自立させることができる。また、連結材２２が盛土部１６に埋設されているため、落石，土砂崩壊の衝撃や積雪荷重が連結材２２に直接加わらず、安定した支柱２の自立構造を得ることができる。
【００４２】
また、このように本実施例では、間隔をおいて支柱３，３を立設した防護体たる防護柵１の支柱構造において、支柱３は、支柱下部５とこの支柱下部５に上に連結する支柱上部６とからなり、支柱下部５の山側に盛土材１５により形成される盛土部１６と、この盛土部１６に埋設された土圧部たる横部材２１と、この横部材２１と支柱下部５とを連結する連結部たる連結材２２とを備えるから、盛土部１６の土圧が横部材２１に加わり、この横部材２１に支柱下部５を連結材２２により連結することにより、山側からの荷重に対して、支柱３を自立させることができる。従って、大口径ボーリングマシンの騒音により施工に制限がある場合や、機材の搬入が困難な場でも施工が可能となる。
【００４３】
また、盛土部１６に落石や土砂が堆積したり積雪荷重が加わったりすれば、それらがウエートとなって安定性が向上する。
【００４４】
また、このように本実施例では、支柱下部５を複数段に分割した分割支柱下部７，７Ａ，７Ｂ，７Ｃ，７Ｄを備え、複数の分割支柱下部７，７Ａ，７Ｂ，７Ｃ，７Ｄを連結部たる連結材２２により土圧部たる横部材２１に連結したから、安定した支柱構造が得られる。
【００４５】
また、このように本実施例では、隣合う支柱３，３の支柱下部５，５間に盛土材１５の前側を仕切る仕切り部１３を設けたから、盛土材１５が支柱３の反山側に漏れることがなく、支柱山側の盛土部１６の施工が容易となる。
【００４６】
また、このように本実施例では、土圧部が横部材又は／及び縦部材を備え、この例では土圧部が横部材２２を備えるから、盛土部１６の土圧を横部材２１が受け、この横部材２１に連結した支柱下部５が安定する。また、施工において、各段毎に横部材２１を配置することができる。
【００４７】
また、このように本実施例では、盛土部１６を補強する盛土部補強材たるジオグリッド２３を備えるから、盛土部１６を効果的に補強することができる。
【００４８】
また、実施例上の効果として、上記支柱構造の施工方法において、分割支柱下部７，７Ａ，７Ｂ，７Ｃ，７Ｄの各段毎に、分割支柱下部７，７Ａ，７Ｂ，７Ｃ，７Ｄの設置作業と、連結部たる連結材２２による分割支柱下部７，７Ａ，７Ｂ，７Ｃ，７Ｄと土圧部たる横部材２１との連結作業と、盛土材１５による盛土作業とを行い、このように分割支柱下部７，７Ａ，７Ｂ，７Ｃ，７Ｄの各段毎に作業を行うことにより、効率よく施工を行うことができる。
【００４９】
また、実施例上の効果として、分割支柱下部７，７Ａ，７Ｂ，７Ｃ，７Ｄの各段毎に、隣合う分割支柱下部７，７Ａ，７Ｂ，７Ｃ，７Ｄ間に盛土材１５の前側を仕切る仕切り部１３を設ける仕切り作業と、盛土した盛土材１５の転圧作業とを行い、このように各段毎に仕切り部１３を設けることにより、仕切り部１３が転圧の邪魔にならず、転圧作業を確実且つ容易に行うことができる。
【００５０】
また、実施例上の効果として、各段毎にジオグリッド２３を敷設することにより、盛土部１６の強度を向上することができる。さらに、土圧部たる横部材２１は、下段から上段に行くに従って支柱下部５から離れるから、土圧が低くなる上段側でも所定の支持力を得ることができる。また、上段側の横部材２１を下段川の横部材２１より大きくしたから、土圧が低くなる上段側でも所定の支持力を得ることができ、全体として盛土部１６の土圧を効果的に支柱３の支持に用いることができる。
【実施例２】
【００５１】
図７は本発明の実施例２を示し、上記実施例１と同一部分に同一符号を付し、その詳細な説明を省略して詳述すると、この例では、中段の分割支柱下部７Ａ，７Ｂ，７Ｃとその下段の横部材２１とを、山側が低くなる斜めの連結材２２Ａにより連結しており、中段の分割支柱下部７Ａ，７Ｂ，７Ｃが上下２つの横部材２１，２１に連結されている。
【００５２】
この場合、下段の転圧作業を行った後、上段の分割支柱下部７Ａ，７Ｂ，７Ｃと下段の横部材２１とを前記連結材２２Ａにより連結する。
【００５３】
また、このように本実施例では、分割支柱下部７Ａ，７Ｂ，７Ｃに複数の連結部たる連結材２２，２２Ａを連結し、これら連結材２２，２２Ａを上下異なる位置で土圧部たる横部材２１，２１に連結したから、分割支柱下部７Ａ，７Ｂ，７Ｃが複数の連結材２２，２２Ａにより横部材２１，２１に連結されるため、安定した支柱構造が得られる。
【実施例３】
【００５４】
図８は本発明の実施例３を示し、上記各実施例と同一部分に同一符号を付し、その詳細な説明を省略して詳述すると、この例では、土圧部として縦部材３１を用いており、１個の縦部材３１に、１個の支柱下部５の全ての分割支柱下部７，７Ａ，７Ｂ，７Ｃ，７Ｄが連結されている。
【００５５】
前記縦部材３１は、斜面下部１２Ａに沿って斜めに設けられており、この設置状態で、支柱下部５に略対応する高さを有するから、盛土部１６の施工前に斜面下部１２Ａに配置すれば、設置が完了する。
【００５６】
このように本実施例では、連結部が縦部材３１を備えるから、盛土部１６の土圧を縦部材３１が受けることにより、この縦部材３１に連結した分割支柱下部７，７Ａ，７Ｂ，７Ｃ，７Ｄが安定する。また、縦部材３１に複数段の分割支柱下部７，７Ａ，７Ｂ，７Ｃ，７Ｄを連結するようにしたから、土圧部たる縦部材３１の施工が容易となる。
【実施例４】
【００５７】
図９〜図１０は本発明の実施例４を示し、上記各実施例と同一部分に同一符号を付し、その詳細な説明を省略して詳述すると、この例では、土圧部として格子状部材３２を用いており、この格子状部材３２は、複数の前記横部材２１と複数の前記縦部材３１とを格子状に配置して一体化したものであり、その縦部材２２に連結材２２により各段の分割支柱下部７，７Ａ，７Ｂ，７Ｃ，７Ｄを連結している。
【００５８】
このように本実施例では、連結部が横部材２２と縦部材３１を備えるから、盛土部１６の土圧を横部材２１と縦部材３１とを備える格子状部材３２が受けることにより、この格子状部材３２に連結した分割支柱下部７，７Ａ，７Ｂ，７Ｃ，７Ｄが安定する。
【実施例５】
【００５９】
図１１は本発明の実施例５を示し、上記各実施例と同一部分に同一符号を付し、その詳細な説明を省略して詳述すると、この例では、各段の横部材２１に対応して、斜面たる斜面下部１２Ａにアンカー３３を固設しており、このアンカー３３の先端を前記横部材２１に連結している。
【００６０】
このように本実施例では、アンカー３３を用いることにより斜面１２の地山からも支持力が得られるため、支柱上部５の山側から加わる力に対して、支柱３の強度を向上することができる。
【実施例６】
【００６１】
図１２は本発明の実施例６を示し、上記各実施例と同一部分に同一符号を付し、その詳細な説明を省略して詳述すると、この例では、上記実施例５において、土圧部たる横部材２１を用いることなく、アンカー３３に連結材２２を直接連結するように構成している。
【００６２】
このように本実施例では、支柱支持部が山の斜面１２に設けたアンカー３３であり、アンカー３３を用いることにより斜面１２の地山からも支持力が得られるため、支柱上部５の山側から加わる力に対して、支柱３の強度を向上することができる。
【実施例７】
【００６３】
図１３及び図１４は本発明の実施例７を示し、上記各実施例と同一部分に同一符号を付し、その詳細な説明を省略して詳述すると、この例では、支柱下部５内に支柱上部６の下部を挿入して連結している。
【００６４】
前記支柱下部５の内径は、前記支柱上部６の外径より大きく、その支柱下部５内には、前記支柱上部６の下端が当接するストッパ３４が設けられ、このストッパ３４により支柱上部６の挿入量を調節している。また、前記支柱下部５内には充填材３５が充填され、この充填材３５により支柱上部６が支柱上部５に固定され、前記充填材３５としては、グラウト，コンクリートやモルタルなどが例示される。この場合、支柱上部６に加わる設計荷重に対して必要な長さだけ支柱上部６の下部を支柱下部５に挿入するようにすればよい。
【００６５】
また、この例の土圧部は横部材２１Ａであり、この横部材２１Ａは、横方向の横辺部３６と、この横辺部３６の端部の上に設けられた縦方向の縦辺部３７とを備える断面略Ｌ字型をなしている。
【００６６】
したがって、転圧後の上面１７，１７Ａ，１７Ｂ，１７Ｃ，１７Ｄに、略平坦な横辺３６の下面を載置するようにして横部材２１Ａを配置できるため、横部材２１Ａの設置作業が容易となり、また、埋設後は、縦方向の縦辺部３７により土圧を受け、支柱支持力を得ることができる。
【００６７】
このように本実施例では、支柱下部５に支柱上部６の下部を挿入したから、支柱下部５に支柱上部６を挿入して支柱３を形成することができる。また、支柱下部５の施工時に支柱上部６が邪魔にならない。
【実施例８】
【００６８】
図１５は本発明の実施例８を示し、上記各実施例と同一部分に同一符号を付し、その詳細な説明を省略して詳述すると、この例の横部材２１Ａは、横方向の横辺部３６の中央から縦方向の縦辺部３７を突設した断面略逆Ｔ字型をなし、上記実施例７と同様な作用・効果を奏する。
【実施例９】
【００６９】
図１６は本発明の実施例９を示し、上記各実施例と同一部分に同一符号を付し、その詳細な説明を省略して詳述すると、この例では、転圧後の上面１７，１７Ａ，１７Ｂ，１７Ｃ，１７Ｄ間の略中央においても転圧を行い、この転圧した面に、盛土補強材であるジオグリッド２３を設けるようにしており、ジオグリッド２３，２３間の盛土材１の厚さが薄くなるから、盛土部１６の強度を向上することができる。
【実施例１０】
【００７０】
図１７は本発明の実施例１０を示し、上記各実施例と同一部分に同一符号を付し、その詳細な説明を省略して詳述すると、この例では、支柱下部５内に支柱上部６の下部を挿入して連結し、支柱上部６は支柱３の高さと略等しく、その支柱下部６の下端が座板９に載置される。したがって、座板９の上面を水平に配置すれば、支柱上部６を垂直に配置することができる。尚、実施例７及び実施例１０においては、支柱上部６の下端を塞いでおけば、充填材３５が侵入しない。
【実施例１１】
【００７１】
図１８は本発明の実施例１１を示し、上記各実施例と同一部分に同一符号を付し、その詳細な説明を省略して詳述すると、この例では、支柱下部５と支柱上部６とが一体ものの支柱３を用い、１箇所に１本の支柱３を立設しており、間隔をおいて支柱３，３を立設した支柱構造において、支柱３の支柱下部５の山側に盛土材１５により形成される盛土部１６と、この盛土部１６に埋設された支柱下部５に連結した連結部たる連結材２２と、この連結材と連結された支柱支持部たる横部材２１とを備えるから、支柱下部５を連結材２２により横部材２１に連結することにより、山側からの荷重に対して、支柱３を自立させることができる。
【００７２】
尚、本発明は、前記実施例に限定されるものではなく、種々の変形実施が可能である。例えば、土圧部は各種の形状のものを用いることができる。また、連結材は引張力に対抗するものであれば、ワイヤーロープなど各種のものを用いることができる。さらに、実施例では、支柱下部と支柱上部とをフランジにより連結したが、ソケット式など各種の連結方式を用いることができ、或いは現場での溶接もよい。また、実施例では、支柱下部を複数の分割したが、一体物の支柱下部を用いてもよい。
【符号の説明】
【００７３】
１  防護柵（防護体）
２  地面（設置場所）
３  支柱
４  網体（防護面）
５  支柱下部
６  支柱上部
７，７Ａ，７Ｂ，７Ｃ，７Ｄ  分割支柱下部
８  フランジ（接続手段）
１１  平坦面
１２  斜面
１２Ａ  斜面下部
１３  仕切り部
１４〜１４Ｅ  パネル状部材
１５  盛土材（土砂）
１６  盛土部
２１  横部材（支柱支持部、土圧部）
２２  連結材（連結部）
２２Ａ  斜めの連結材（連結部）
２３  ジオグリッド（盛土補強材）
３１  縦部材（支柱支持部、土圧部）
３２  格子状部材（支柱支持部、土圧部）
３３  アンカー（支柱支持部）